【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
第１のユニットと、
前記第１のユニットに対して移動自在に配置された第２のユニットと、
前記第２のユニットを、前記第１のユニットに対して第１の位置と第２の位置とに移動する移動機構と
を有し、
前記第１のユニットは、
無端状の第１のベルトと、
前記第１のベルトの内側に位置が固定された回転軸周りに回転自在に保持された定着ローラと
を有し、
前記第２のユニットは、
無端状の第２のベルトと、
前記第２のベルトの内側で変位可能な回転軸周りに回転自在に保持された加圧ローラと、
前記加圧ローラを前記定着ローラに向けて付勢する第１の付勢部材と
を有し、
前記加圧ローラは、前記第１の位置で、前記第１の付勢部材に付勢されて前記第１のベルトと前記第２のベルトを介して前記定着ローラを押圧し、前記第２の位置で、前記定着ローラと離間することを特徴とする定着装置。
【請求項２】
前記第１の付勢部材は圧縮スプリングであり、前記第２の位置にあるときの前記第１の付勢部材の付勢力は、前記第１の位置にあるときの前記第１の付勢部材の付勢力よりも小さいことを特徴とする請求項１記載の定着装置。
【請求項３】
前記第２のユニットは、回動自在に保持されたアームを備え、
前記アームは、該アームの回動軸と平行な回転軸周りに前記加圧ローラを回転自在に保持し、該回転軸を介して前記回動軸と反対側において、前記第１の付勢部材による付勢力を受けることを特徴とする請求項２記載の定着装置。
【請求項４】
前記移動機構は、
互いに平行に配置されてそれぞれが回転自在に保持された第１のカム軸及び第２のカム軸と、
前記第１のカム軸に固定された第１のカム及び前記第２のカム軸に固定された第２のカムと、
前記第１のカム軸と前記第２のカム軸とに、駆動力を伝達する駆動伝達系と
を有し、
前記第２のユニットは、
前記第１のカムの周面に係合する第１の係合部及び前記第２のカムの周面に係合する第２の係合部と、
前記第１のカム軸によってガイドされる第１のガイド溝及び前記第２のカム軸によってガイドされる第２のガイド溝と
を有する
ことを特徴する請求項１乃至３の何れかに記載の定着装置。
【請求項５】
前記移動機構は、
互いに平行に配置されてそれぞれが回転自在に保持された第１のカム軸及び第２のカム軸と、
前記第１のカム軸に固定された第１のカム及び前記第２のカム軸に固定された第２のカムと、
前記第１のカム軸と前記第２のカム軸とに、駆動力を伝達する駆動伝達系と
を有し、
前記第２のユニットは、
前記第１のカムの周面に係合する第１の係合部及び前記第２のカムの周面に係合する第２の係合部と、
前記第１のカム軸によってガイドされる第１のガイド溝及び前記第２のカム軸によってガイドされる第２のガイド溝と
を有し、
前記第１のカム軸及び前記第２のカム軸を含む平面と平行であって前記第１のカム軸と直交する方向において、前記第１のカム軸と前記第２のカム軸の間に、前記第１の位置にあるときの前記加圧ローラの回転軸が位置することを特徴とする請求項３記載の定着装置。
【請求項６】
前記移動機構は、
互いに平行に配置されてそれぞれが回転自在に保持された第１のカム軸及び第２のカム軸と、
前記第１のカム軸に固定された第１のカム及び前記第２のカム軸に固定された第２のカムと、
前記第１のカム軸と前記第２のカム軸とに、駆動力を伝達する駆動伝達系と
を有し、
前記第２のユニットは、
前記第１のカムの周面に係合する第１の係合部及び前記第２のカムの周面に係合する第２の係合部と、
前記第１のカム軸によってガイドされる第１のガイド溝及び前記第２のカム軸によってガイドされる第２のガイド溝と
を有し、
前記第１のカム軸及び前記第２のカム軸を含む平面と垂直な方向において、前記第１の位置にあるときの前記加圧ローラの回転軸と前記第１のガイド溝との間に前記第１の係合部が位置し、前記第１の位置にあるときの前記加圧ローラの回転軸と前記第２のガイド溝との間に前記第２の係合部が位置することを特徴とする請求項３記載の定着装置。
【請求項７】
前記第１のユニットは、
前記第１のベルトの内側に固定された第１のパッドを有し、
前記第２のユニットは、
前記第２のベルトの内側で移動可能な第２のパッドと、
前記第２のパッドを前記第１のパッドに向けて付勢する第２の付勢部材と
を有し、
前記第２のパッドは、前記第１の位置で、前記第２の付勢部材に付勢されて前記第１のベルトと前記第２のベルトを介して前記第１のパッドに圧接し、前記第２の位置で、前記第１のパッドと離間することを特徴とする請求項１乃至６の何れかに記載の定着装置。
【請求項８】
前記第２の付勢部材は圧縮スプリングであり、前記第２の位置にあるときの前記第２の付勢部材の付勢力は、前記第１の位置にあるときの前記第２の付勢部材の付勢力よりも小さいことを特徴とする請求項７記載の定着装置。
【請求項９】
前記第２のユニットは、前記加圧ローラを前記定着ローラの方向に変位可能に支持するアームと、前記加圧ローラが前記定着ローラに向かう方向で、前記アームの変位を規制する第１の規制部とを有し、
前記第１の付勢部材は、前記アームを前記第１の規制部に向けて付勢するように配置され、
前記第２のユニットが前記第１の位置にあるとき、前記アームは前記第１の規制部から離れ、前記加圧ローラが、前記第１の付勢部材の付勢力により第１のベルト及び第２のベルトを介して前記定着ローラを押圧し、
前記第２のユニットが前記第２の位置にあるとき、前記加圧ローラは前記定着ローラから離間し、前記アームが、前記第１の付勢部材の付勢力により前記第１の規制部に当接することを特徴とする請求項１記載の定着装置。
【請求項１０】
前記第２のユニットは、前記第２のパッドを保持して該第２のパッドが前記第１のパッドの方向に変位可能に備えられたパッド保持部材と、前記第２のパッドが前記第１のパッドに向かう方向で、前記パッド保持部材の変位を規制する第２の規制部とを有し、
前記第２の付勢部材は、前記パッド保持部材を前記第２の規制部に向けて付勢するように配置され、
前記第２のユニットが前記第１の位置にあるとき、前記パッド保持部材は前記第２の規制部から離れ、前記第２のパッドが、前記第２の付勢部材の付勢力により前記第１のベルト及び前記第２のベルトを介して前記第１のパッドを押圧し、
前記第２のユニットが前記第２の位置にあるとき、前記第２のパッドは前記第１のパッドから離間し、前記パッド保持部材が、前記第２の付勢部材の付勢力により前記第２の規制部に当接することを特徴とする請求項７記載の定着装置。
【請求項１１】
現像剤画像を形成する画像形成部と、
前記現像剤画像を記録媒体に転写する画像転写部と、
請求項１乃至１０の何れかに記載の定着装置と、
前記第２のユニットの移動を駆動制御する駆動制御部と
を有し、
前記駆動制御部は、前記画像形成部が前記現像剤画像を形成しない非画像形成時に、前記第２のユニットを前記第２の位置に移動することを特徴とする画像形成装置。
【手続補正２】
【補正対象書類名】明細書
【補正対象項目名】００３５
【補正方法】変更
【補正の内容】
【００３５】
右アーム３０７は、図１９等に示すように前後方向（Ｘ軸方向）に延在して配置され、前端側上方部で右方向に折れて形成された係止部３０７ａによって上下方向に配設される第１の付勢部材としての第１スプリング３２１の上端側を係止する。第１スプリング３２１は、その下端側が、右サイドシャーシ３０５に配設された第２の規制部としてのスプリング係止部材３３０によって係止され、圧縮された状態を保っている。  
【手続補正３】
【補正対象書類名】明細書
【補正対象項目名】００３６
【補正方法】変更
【補正の内容】
【００３６】
右アーム３０７は、例えば図１３、図２０に示すように、先端の係止部３０７ａと回動軸３２０の間の回動軸３２０に近い位置に軸受３０７ｂ（図２３）を形成し、この軸受３０７ｂによって加圧ローラ３１２の回転軸３１２ａの一端側を回転自在に保持し、左アーム３０６も同様に形成された軸受３０６ｂ（図２３）によって加圧ローラ３１２の回転軸３１２ａの他端側を回転自在に保持している。従って、加圧ローラ３１２は、左右のアーム３０６，３０７が回動することにより、メインシャーシ３０２に対して変位（摺動）可能に構成されている。第１の規制部としての規制板３４１は、後述するように、第１スプリング３２１によって付勢された右アーム３０７の係止部３０７ａが当接し、右アーム３０７の回動を規制する。
【手続補正４】
【補正対象書類名】明細書
【補正対象項目名】００３７
【補正方法】変更
【補正の内容】
【００３７】
加圧パッド３１６（図８）は、加圧ベルト３１１と略同領域で、加圧ユニット３１０の長手方向に延在する。図２４は、この加圧パッド３１６とこれを保持するパッド保持部材としての加圧パッドホルダ３３２の外観斜視図である。同図に示すように、加圧パッドホルダ３３２は、加圧パッド３１６が固定されるパッド固定部３３３、パッド固定部３３３の両端部に形成された左端部３３４（図１３）及び右端部３３５とが一体的に構成されている。この加圧パッドホルダ３３２は、メインシャーシ３０２によって上下方向にスライド可能に保持され、その左右の端部３３４，３３５がコ字状（図２０参照）に形成されている。